(57)【要約】【課題】  体重計としての使用後、壁等に掛けて収納、壁等に掛る収納状態のときに体重計機能から時計機能変わる体重計で音声機能を持った体重計を提供することにある。【解決手段】  体重計は使用する時は床に置いて使用し使用後は床の角に置くか棚などに置いておくのでは、本体重計は使用後に壁・壁面・柱などに掛けて置く事が出来る、壁・壁面・柱などに掛けた時に体重計機能から時計機能を持った体重計で体重計機能をジャイロセンサーかマイクロスイッチを付けて液晶表示が体重計機能の液晶画面から時計機能の液晶画面に変わる替わる機能を持った体重計音声機能を備える事で視覚障害者・視覚弱者・高齢者・肥満などで足元の体重表紙が確認できない時でも音声機能で確認が出来る体重計。【選択図】図１
2016166849.tif 000002
【特許請求の範囲】
【請求項１】
使用する時は床に置いて使用し使用後に壁・壁面・柱などに掛けた時にジャイロセンサーにより自動で又はマイクロスイッチにより液晶表示が体重計機能の液晶画面から時計機能の液晶画面に変わる体重計。
【請求項２】
音声機能を備える事で視覚障害者・視覚弱者・高齢者など足元の体重表示が確認できない時でも前記音声機能で確認が出来る請求項１に記載の体重計。
【発明の詳細な説明】
【技術分野】
【０００１】  本発明は、従来体重計として使用している体重計、使用後は脱衣場等の床に置くか棚などに収納するしかなかった物を新たな収納法と新たな機能を持たせた体重計に関するものである。
【背景技術】
【０００２】  従来は、床に置き使用収納は床に置いたままか、棚等に収納、本発明は使用後の収納方法で壁・壁面・柱などに掛けて置く構造を備え更に掛けた状態の時にジャイロセンサーもしくはマイクロスイッチの作動で液晶の表示を体重計表示機能から時計表示機能に自動で変わるものである。【０００３】  表示機能の他に音声機能で聴覚障害者・聴覚弱者でも音声にて計測時の体重等を音声にて確認が出来るもので有る。
【先行技術文献】
【特許文献】
【０００４】
【特許文献１】特開２０１３−２１７６８５号公報
【発明の概要】
【発明が解決しようとする課題】
【０００５】  従来の体重計は床に置いて使用する、使用後は床などの邪魔に成らない場所に置いている事が多いと思われるが、床に置いて置く事でつまずいたりして痛い思いをした人も多くいるのでは中には怪我をする事も有るようで、本発明は使用後の体重計が邪魔に成らず、更に危険防止にも成るものと思われる。【０００６】  本発明の目的は使用後の体重計の新たな収納を壁等に掛けた収納を提案し収納時に時計機能を持たせた体重計を提案するものである。【０００７】  本発明の目的は体重計機能・時計機能の使用時の液晶表示機能の他に音声機能で視覚障害者・視覚弱者でも使用が出来る体重計である。
【課題を解決するための手段】
【０００８】  本発明は上記の課題を解決軽減するもので、壁・壁面・柱などに掛けて置く構造を備えた物でジャイロセンサー・マイクロスイッチで体重計機能から時計機能に自動で変わる機能を持たせた体重計である。【０００９】  本発明の目的は液晶表示機能の他に音声機能で視覚障害者・視覚弱者でも使用が出来る体重計である。
【発明の効果】
【００１０】  本発明の目的は従来体重計を床に置いて使用する、使用後は床などの邪魔に成らない場所に置いている事が多いと思われるが、床などに置いている事で躓いたりして痛い思いをした方も多くいるのでは中には怪我をする事も有るのでは、本発明は危険防止にも成る体重計を提供することができる体重計である。【００１１】  本発明の目的は液晶表示機能の他に音声機能を備えることで視覚障害者・視覚弱者でも使用が出来る体重計である。
【図面の簡単な説明】
【００１２】
【図１】本発明の実施の形態の本体を床に置いた状態の側面図である。
【図２】本発明の実施の形態の本体を上から見た視図である。
【図３】発明の実施の形態の本体を裏から見た２１のマイクロスイッチ使用の視図である。
【図４】本発明の実施の形態の本体を裏から見た３０の凹ハの字形状金具の視図である。
【図５】本発明の実施の形態の本体を図面４の３０凹のハの字形状壁等に掛ける凸ハの字の金具の視図である。
【発明を実施するための形態】
【００１３】  以下、本発明の実施の形態を図面等で参照しつつ説明する。
本実施形態の従来の体重計は身体の測定機能は充実して更なる新機能が開発されているが体重計を使用しない時の体重計は床面の邪魔にならない所に置くか棚などに収納しているのではと思われ、通常体重計を使用しない時に床などに置いて置き足の指先などを体重計にぶつけて痛い思いをした経験など有るのでは、本発明は体重計の収納目的の新提案と体重計機能にプラスの機能と可能性を考えた体重計である。
【００１４】  体重計としての使用後の収納方法の提案と新たな機能を考えたもので、収納法の一つが床などに置くのではなく壁・壁面・柱等に掛けた状態で収納する、壁などの収納状態の掛けた状態の時に体重計機能をジャイロセンサーかマイクロスイッチを内臓装着することで、体重計機能から時計機能に自動で変わる、体重計機能・時計機能の表示は液晶表示機能を用いるが本発明の実施の形態の機能で音声機能を装備する物で液晶表示機能の表示を音声で表示内容を音声で表示案内をする事も出来る機能を持った体重計機能と時計機能を持たせて物の提案である。
【００１５】  本発明の目的は液晶表示機能の他に音声機能で視覚障害者・視覚弱者でも使用が出来る物で、体重計機能と時計機能で音声機能をジャイロセンサーかマイクロスイッチを内臓装着することで体重計機能から時計機能に自動で変わる機能を持たせる事で視覚障害者・視覚弱者・高齢者・肥満などで足元の体重表示を確認できない時でも音声機能で液晶内容の確認が出来る体重計である。
【００１６】  図１は床に体重計を置いた上部方向から見た側面の図面で１は体重計のベース本体で４は体重計ベースに左右に２個ずつ４箇所装備し両足を乗せる体感センサーである、３は基盤・ジャイロセンサー・電池内蔵収納ボックスである、７は体重計のベース本体裏に４箇所ある重量検知機能付き足（台座）である。
【００１７】  図２は床に体重計置いた状態でベース本体上部の１・４・５・６・１０の配置と簡単な説明、１は体重計のベース本体で４は体重計ベース上部に左右に２個ずつ４箇所装備し両足を乗せる体感センサーである、５は液晶画面で本機能のジャイロセンサーもしくはマイクスイッチで測定数値表示・時計機能表示を自動で体重計表示から時計表示に変わる液晶表示画面である。
【００１８】  図２の１０は体重計ベース本体の上部分の空間スペースで、このスペースにペイント・クラフトアート・押し花加工などをする事で床に置いた時・壁・壁面・柱などに体重計を掛けて収納した時など又壁などに掛けて時計機能として使用している時に壁などの飾りてき要素も有るのではと思われ考案するもので有る。
【００１９】  図３は体重計の裏の面図で壁等に掛ける形状を見ることが出来、２１はマイクロスイッチで壁面などのフック（木ネジ）に本発明の実施の形態の体重計を２０に掛けた時に２１のマイクロスイッチの作動により自動で体重計機能から時計機能に切り替えるマイクロスイッチである。
【００２０】  図４図５は壁・壁面・柱などに体重計を掛けて収納し時計機能として使用する時の本体裏図４で３０のハの字形状の所に図５の３０ａを壁・壁面・柱などに３５のネジ穴に木ネジなどで固定し３０ａに差し込むように掛けて置く為の説明図である。
【００２１】  本発明の機能で音声機能を備える事で視覚障害者・視覚弱者・高齢者・肥満などで足元の体重表示が確認できない時でも音声機能の音声で確認が出来る物で図２の６は音声機能の切り替えタッチスイッチである。
【００２２】  本発明の機能で壁・壁面・柱に掛ける事が出来る物で従来体重計の販売陳列は展示棚など平積みにしたり斜めにした状態で展示販売の方法をとられている様であるが、本発明の壁・壁面・柱に掛ける事が出来るタイプの体重計で販売陳列を従来の平積みにしたり斜めにした状態で展示販売の方法を壁・壁面・柱に掛ける展示が出来て新たな展示ができるものである。
【００２３】  壁・壁面・柱に掛ける事で柱時計・壁掛け時計と並べての展示販売も出来るものではと考える。
【００２４】  壁・壁面・柱に掛けて展示時計機能が有る事で時計コーナー・時計店でも販売が可能と思われる。
【符号の説明】
【００２５】１      体重計（ヘルスメーター）本体
２０    引っかけ金具
２１    体重計から時計と時計から体重計の切り替えマイクロスイッチ
３      基盤・ジャイロセンサー・電池内蔵収納ボックス
４      体感センサー
５      表示液晶パネル
６      音声ＯＮ・ＯＦＦ切り替えタッチスイッチ
７      重量検知機能付き足（台座）
１０    ペイントアートクラフトスペース
３０    ハの字型壁掛けベース
３０ａ  ハの字型壁掛け金具
３５    ３０ａの金具固定のネジ穴
【図１】
2016166849.tif 000003
【図２】
2016166849.tif 000004
【図３】
2016166849.tif 000005
【図４】
2016166849.tif 000006
【図５】
2016166849.tif 000007